(57)【特許請求の範囲】
【請求項１】
複数のチャンネルの番組データを同時に受信可能なチューナ部と、
前記チューナ部にて同時に受信された複数のチャンネルの番組データが記録される記録部と、
現在時刻からこの現在時刻より一定時間前の時刻までの間に記録された前記複数のチャンネルの番組データが前記記録部に一時的に蓄積されるように前記記録部に対する前記各々の番組データの記録と消去を行い、いずれかのチャンネルの番組データの指定を伴う特定の事象が発生したとき、前記指定されたチャンネルの番組データを前記記録部へ永続的に蓄積するための記録を開始するとともに、前記記録部に一時的に蓄積されている前記指定の番組データを永続的な蓄積として残すように制御を行う制御部と、を具備し、
前記制御部は、タイムシフト視聴指令が入力されたときを前記特定の事象として判定することを特徴とする番組記録再生装置。
【請求項２】
複数のチャンネルの番組データを同時に受信可能なチューナ部と、
前記チューナ部にて同時に受信された複数のチャンネルの番組データが記録される記録部と、
現在時刻からこの現在時刻より一定時間前の時刻までの間に記録された前記複数のチャンネルの番組データが前記記録部に一時的に蓄積されるように前記記録部に対する前記各々の番組データの記録と消去を行い、いずれかのチャンネルの番組データの指定を伴う特定の事象が発生したとき、前記指定されたチャンネルの番組データを前記記録部へ永続的に蓄積するための記録を開始するとともに、前記記録部に一時的に蓄積されている前記指定の番組データを永続的な蓄積として残すように制御を行う制御部と、を具備し、
前記制御部は、一定時間以上連続して視聴された番組が発生したことを前記特定の事象として判定することを特徴とする番組記録再生装置。
【請求項３】
前記チューナ部は複数のチューナからなり、前記制御部は、前記チューナの数より多くのチャンネルの番組データを受信する場合に、各々の前記チューナを前記各チャンネルに一定時間ごとにシフトさせながら割り当てることを特徴とする請求項１又は２記載の番組記録再生装置。
【請求項４】
前記チューナ部は複数のチューナからなり、前記制御部は、前記チューナの数より多くのチャンネルの番組データを受信する場合に、前記チューナ部の一部の前記チューナを、特定のチャンネルの番組データの受信専用に割り当て、他のチューナを他のチャンネルに一定時間ごとにシフトさせながら割り当てることを特徴とする請求項１又は２記載の番組記録再生装置。
【請求項５】
複数のチャンネルの番組データを同時に受信するステップと、
現在時刻からこの現在時刻より一定時間前の時刻までの間に記録された前記複数のチャンネルの番組データが記録部に一時的に蓄積されるように前記記録部に対する前記各々の番組データの記録と消去を行うステップと、
いずれかのチャンネルの番組データの指定を伴う特定の事象が発生したとき、前記指定されたチャンネルの番組データを前記記録部へ永続的に蓄積するための記録を開始するとともに、前記記録部に一時的に蓄積されている前記指定の番組データを永続的な蓄積に変更する変更ステップと、を具備し、
前記変更ステップでは、タイムシフト視聴指令が入力されたときを前記特定の事象として判定することを特徴とする番組記録方法。
【請求項６】
複数のチャンネルの番組データを同時に受信するステップと、
現在時刻からこの現在時刻より一定時間前の時刻までの間に記録された前記複数のチャンネルの番組データが記録部に一時的に蓄積されるように前記記録部に対する前記各々の番組データの記録と消去を行うステップと、
いずれかのチャンネルの番組データの指定を伴う特定の事象が発生したとき、前記指定されたチャンネルの番組データを前記記録部へ永続的に蓄積するための記録を開始するとともに、前記記録部に一時的に蓄積されている前記指定の番組データを永続的な蓄積に変更する変更ステップと、を具備し、
前記変更ステップでは、一定時間以上連続して視聴された番組が発生したことを前記特定の事象として判定することを特徴とする番組記録方法。
【発明の詳細な説明】
【技術分野】
【０００１】
本発明は、複数のチャンネルの番組データの記録および再生が可能な番組記録再生装置および番組記録方法に関するものである。
【背景技術】
【０００２】
アナログ放送あるいはデジタル放送の番組を受信して、ＨＤＤ（ハードディスクドライブ）などのランダムアクセス可能な記憶装置に記録し、再生する番組記録再生装置が現在普及している。このような番組記録再生装置において、現在視聴中の番組について現在の時刻よりも遡った時刻からの視聴を可能としたものが知られている。
【０００３】
たとえば、特許文献１において、あらかじめ指定されたチャンネルについて、現在の時刻から一定時間前の時刻までの間に記録された番組データが記憶装置に常に蓄積されているように記録と消去を並列的に行うことによって、ユーザから明示的な視聴開始の指示が発生した場合、指定チャンネルの番組については一定時間分遡った時刻から視聴（タイムシフト視聴）をできるものとしている。
【特許文献１】特開２０００−１８４３２０号公報
【発明の開示】
【発明が解決しようとする課題】
【０００４】
上記の従来の技術では、一定時間分遡った時刻からタイムシフト視聴が可能であるが、その視聴対象である番組データの記憶装置への蓄積のモードは、タイムシフト視聴の命令を受けた後も、一定の時間長ごとに記録と消去が繰り返される一時的蓄積のモードを維持する。すなわち、永続的な蓄積モードに切り替えるためには、ユーザからの明示的な記録命令の入力が必要であった。また、ユーザから明示的な記録命令が入力されてからの永続的蓄積が開始されるので、一時的蓄積されていた当該記録命令対象の番組データは消去され、永続的蓄積データに加えることができなかった。
【０００５】
本発明は、かかる実情に鑑み、ユーザからの明示的な記録命令の入力に拠らず、番組データの記録部への蓄積状態を一時的蓄積から永続的蓄積に自動的に変更することができるとともに、一定時間遡った時刻から現時点までの過去分の番組データも一時的蓄積から永続的蓄積に変更することのできる番組記録再生装置および番組記録方法を提供することを目的とする。
【課題を解決するための手段】
【０００６】
上記の課題を解決するために、本発明の番組記録再生装置は、複数のチャンネルの番組データを同時に受信可能なチューナ部と、チューナ部にて同時に受信された複数のチャンネルの番組データが記録される記録部と、現在時刻からこの現在時刻より一定時間前の時刻までの間に記録された複数のチャンネルの番組データが記録部に一時的に蓄積されるように記録部に対する各々の番組データの記録と消去を行い、いずれかのチャンネルの番組データの指定を伴う特定の事象が発生したとき、指定されたチャンネルの番組データを記録部へ永続的に蓄積するための記録を開始するとともに、記録部に一時的に蓄積されている指定の番組データを永続的な蓄積として残すように制御を行う制御部と、を具備し、前記制御部は、タイムシフト視聴指令が入力されたときを前記特定の事象として判定することを特徴とする。
さらに、本発明の番組記録再生装置は、複数のチャンネルの番組データを同時に受信可能なチューナ部と、前記チューナ部にて同時に受信された複数のチャンネルの番組データが記録される記録部と、現在時刻からこの現在時刻より一定時間前の時刻までの間に記録された前記複数のチャンネルの番組データが前記記録部に一時的に蓄積されるように前記記録部に対する前記各々の番組データの記録と消去を行い、いずれかのチャンネルの番組データの指定を伴う特定の事象が発生したとき、前記指定されたチャンネルの番組データを前記記録部へ永続的に蓄積するための記録を開始するとともに、前記記録部に一時的に蓄積されている前記指定の番組データを永続的な蓄積として残すように制御を行う制御部と、を具備し、前記制御部は、一定時間以上連続して視聴された番組が発生したことを前記特定の事象として判定することを特徴とする。
【０００７】
また、制御部は、あらかじめ決められた評価基準に従ってチャンネルあるいは番組ごとの優先度を求め、その優先度に基づいて、チューナ部によって受信される複数のチャンネルの番組データを選定するように制御を行うものであってもよい。
【０００８】
このように、記録部に一時的に蓄積されるチャンネルを優先度に基づいて選定することによって、ユーザの興味を引くような番組データが記録部に一時的に蓄積される可能性が高くなり、タイムシフト視聴の有用性が向上する。
【００１０】
本発明によれば、記録部への番組データの記録をユーザが明示的に指示することなく、ユーザの番組への興味から誘発される事象に基づいて、番組データの記録部への蓄積状態を一時的蓄積から永続的蓄積に自動的に変更することができるとともに、一定時間遡った時刻から現時点までの過去分の番組データも一時的蓄積から永続的蓄積に変更することができる。
【００１１】
また、チューナ部は複数のチューナからなり、制御部は、チューナの数より多くのチャンネルの番組データを受信する場合に、各々のチューナを各チャンネルに一定時間ごとにシフトさせながら割り当てるように制御を行うものであってもよい。
【００１２】
あるいは、チューナ部は複数のチューナからなり、制御部は、チューナの数より多くのチャンネルの番組データを受信する場合に、チューナ部の一部のチューナを、特定のチャンネルの番組データの受信専用に割り当て、他のチューナを他のチャンネルに一定時間ごとにシフトさせながら割り当てるように制御を行うものであってもよい。
【００１３】
一部のチューナを特定のチャンネルの番組データの受信専用に割り当てることによって、その番組を時間的な連続性を保証しつつ視聴再生することができる。
【発明の効果】
【００１４】
本発明の番組記録再生装置、番組記録方法によれば、ユーザからの明示的な記録命令の入力に拠らず、ユーザが特定の番組に興味を示した事象を検出して、番組データの記録部への蓄積状態を一時的蓄積から永続的蓄積に自動的に変更することができるとともに、この一時的蓄積から永続的蓄積への変更の際に、一定時間遡った時刻から現時点までの過去分の番組データも一時的蓄積から永続的蓄積に変更することができる。
【発明を実施するための最良の形態】
【００１５】
以下、本発明の実施の形態について図面を参照しながら説明する。
【００１６】
図１は本発明の一実施形態に係る番組記録再生装置の構成を示すブロック図である。
【００１７】
同図に示すように、この実施形態の番組記録再生装置１００は、アンテナ部１、複数のチューナ２１，２２，２３からなるチューナ部２、チューナ２１，２２，２３ごとの復調部３１，３２，３３、デマルチプレクサ４、ビデオ復号部５、オーディオ復号部６、ＣＰＵ（Central Processing Unit）７、ＲＯＭ（Read Only Memory）８、メインメモリ９、操作入力部１０、ＨＤＤ１１（Hard Disk Drive）、そしてシステムバス１２などで構成される。
【００１８】
チューナ部２は、複数のチューナ２１，２２，２３で構成され、これらのチューナ２１，２２，２３を用いて、アンテナ部１を通じて複数のチャンネルの放送番組を同時に受信することのできる手段である。本例では、ＢＳデジタル放送チューナ、地上波デジタル放送チューナなどを想定している。復調部３１，３２，３３は、それぞれ対応するチューナ２１，２２，２３にて受信したデジタル放送信号を復調する。デマルチプレクサ４は、復調部３１，３２，３３より出力された放送番組のストリーム信号をビデオとオーディオの各ストリーム信号に分離してビデオ復号部５およびオーディオ復号部６にそれぞれ出力する手段である。
【００１９】
ビデオ復号部５は、デマルチプレクサ４より入力された放送番組のビデオストリーム信号を復号して映像信号を生成しディスプレイ１３に出力する手段である。オーディオ復号部６は、デマルチプレクサ４より入力された放送番組のオーディオストリーム信号を復号して音声信号を生成しスピーカ１４に出力する手段である。ＨＤＤ１１は、取得した放送番組のストリーム信号をランダムアクセス可能な記憶媒体であるハードディスクに記録したり、読み出したりするドライブ装置である。
【００２０】
操作入力部１０は、ユーザからの各種命令や値を入力してＣＰＵ７へ出力する手段である。ＲＯＭ８は、ＣＰＵ７に実行させるプログラムや各種パラメータなどのファームウェアが固定的に記憶されているメモリである。メモリメモリ９は、ＣＰＵ７の作業用領域などとして用いられ、処理データを一時的に保持するメモリである。ＣＰＵ７は、ＲＯＭ８に記憶されたファームウェアに基づいて各ブロックを統括的に制御したり、各種の演算処理を実行する装置である。システムバス１２は各ブロック間での制御信号、データ信号などの各種情報の伝送を行うための伝送路である。
【００２１】
この実施形態の番組記録再生装置１００では、タイムシフト視聴を可能とするために、現在時刻からこの現在時刻より一定時間前の時刻までの間に記録された複数のチャンネルの番組データがＨＤＤ１１に一時的に蓄積されるようにＨＤＤ１１に対する各々の番組データの記録と消去を行い、ＨＤＤ１１に一時的に蓄積されているいずれかのチャンネルの番組データの指定を伴う特定の事象が発生したとき、その指定された番組データのＨＤＤ１１への永続的な記録を開始するとともに、ＨＤＤ１１に一時的に蓄積されている、指定された番組データを永続的な蓄積として残すようにＣＰＵ７がＲＯＭ８に格納されているファームウェアに従って制御を行う。
【００２２】
以下に、かかる制御動作の詳細を説明する。
【００２３】
まず、３つのチューナ２１，２２，２３で受信された８チャンネルの番組データをＨＤＤ１１に一時的に蓄積する動作から説明する。図２は８チャンネルの番組データの一時的蓄積の状態を示している。ここで、横軸は時間軸を示し、横軸上の実線の位置は各々のチャンネルの番組データ（番組１−８）の一時的蓄積の時間位置を示している。
【００２４】
ここで、３つのチューナ２１，２２，２３は、一定時間ごとに割り当てチャンネルをシフトさせながらその都度各々に割り当てられた３つのチャンネルの番組データを並列に受信するようにＣＰＵ７によって制御される。この例では３つのチューナ２１，２２，２３で８チャンネルの番組データを受信するので、各々のチャンネルの番組データは時間不連続にＨＤＤ１１に記録されることになる。
【００２５】
各々のチャンネルの番組データは、現在時刻Ｔ１から、この現在時刻Ｔ１より一定時間Ｔｗだけ前の時刻Ｔ２までの間に記録されたものだけが常にＨＤＤ１１上に一時的に蓄積されているように、ＨＤＤ１１に対する記録と消去が並列的に行われる。
【００２６】
このようにＨＤＤ１１に一時的に蓄積される８チャンネルの番組データは、受信可能なすべてのチャンネルの中からたとえば次のような方法で選定される。
【００２７】
第１の方法は、ユーザが明示的にチャンネルあるいは番組を指定する方法である。第２の方法は、ＣＰＵ７にて、あらかじめ決められた評価基準に従ってチャンネルあるいは番組ごとの優先度を求め、その優先度に基づいてチャンネルあるいは番組を選定する方法である。優先度を求めるための評価基準としては、たとえば、ユーザが予め指定されたキーワードのチャンネルあるいは番組ごとのヒット数、ユーザ自身の過去の視聴履歴、他のユーザによる番組予約の度合い、過去またはその時点の視聴率などが考えられる。キーワードのヒット数は、たとえば、電子番組表（ＥＰＧ：Electric Program Guide）などの放送番組に関する情報を放送やインターネットなどを通じて取得し、その放送番組に関する情報とユーザにより予め登録されたキーワードとを比較することによって得られる。その際、チャンネルごと、あるいは番組ごとのキーワードのヒット数を評価基準とすることができる。ユーザ自身の過去の視聴履歴は、ＣＰＵ７が操作入力部１０を通じてユーザから入力された視聴命令に関する情報を蓄積することによって得られる。視聴履歴をもとにユーザが視聴した頻度の高いチャンネルや番組の優先度を高くする。また、ネットワークを通じて各ユーザの番組記録再生装置で行われた番組予約に関する情報を収集し処理するサーバを設けることによって、このサーバから各ユーザの番組記録再生装置に「他のユーザによる番組予約の度合い」のデータを配信することが可能である。同様に「過去またはその時点の視聴率」のデータも当該サーバから取得可能である。
【００２８】
このように、ＨＤＤ１１に一時的に蓄積されるチャンネルを優先度に基づいて選定することによって、ユーザの興味を引くような番組データがＨＤＤ１１に一時的に蓄積される可能性が高くなり、タイムシフト視聴の有用性が向上する。
【００２９】
図３は特定の番組データ（本例では番組２）が一時的蓄積から永続的蓄積へ変更された時点での各番組データの蓄積の状態を示している。同図で、時間軸に沿った太線は永続的蓄積の時間位置を表し、細い実線で示す一時的蓄積の時間位置と表記上の識別ができるようにしてある。特定の番組データ（番組２）のＨＤＤ１１への永続的な蓄積を開始するための契機となる何らかの事象は時刻Ｔ１で発生している。この時点でＨＤＤ１１には時刻Ｔ１から時刻Ｔ２までの間に記録された各チャンネルの番組データだけが残っているから、この期間内の特定の番組データ（番組２）の蓄積状態を一時的蓄積から永続的蓄積へと変更する。
【００３０】
特定の番組データ（番組２）のＨＤＤ１１への永続的な蓄積のための記録が開始されると、３つのチューナ２１，２２，２３のうちの１つを特定の番組データの受信専用とするように各チューナ２１，２２，２３に対するチャンネルの割り当てがＣＰＵ７によって制御される。その他の２つのチューナはこれまで通り、ＨＤＤ１１に一時的に蓄積されるその他のチャンネルの番組データの受信用に割り当てられる。
【００３１】
図４はＨＤＤ１１への永続的蓄積のための番組データの記録を開始するための契機となる何らかの事象が時刻Ｔ１で発生してから、さらに時間が時刻Ｔ１´まで経過した時点での各番組データの蓄積の状態を示している。この時点で特定の番組データ（番組２）以外の番組データの時刻Ｔ２´以前のデータはすでにＨＤＤ１１から消去されている。特定の番組データ（番組２）は、この後も１つのチューナを占有することによって継続的に受信されて番組終了までＨＤＤ１１に記録される。
【００３２】
次に、特定の番組データの蓄積状態を一時的蓄積から永続的蓄積へと変更する契機となる事象について説明する。
【００３３】
特定の番組データの蓄積状態を一時的蓄積から永続的蓄積へと変更する契機となる事象としては、ユーザより操作入力部１０を使って特定の指令が入力されたことをＣＰＵ７が判断したときとすることができる。ユーザより与えられる特定の指令としては、一定時間遡った時刻からの番組の視聴を指示するタイムシフト視聴指令などが挙げられる。
【００３４】
また、ＨＤＤ１１に一時的蓄積された複数のチャンネルの番組データの中でタイムシフト視聴を行う番組データをユーザが容易に指定できるように、ＨＤＤ１１に一時的蓄積された複数のチャンネルの番組データをそれぞれ読み出してデコードし、ディスプレイ１３の画面に番組ごとの子画面を表示するようにしてもよい。
【００３５】
図５はディスプレイ１３の画面５０に８チャンネルの番組の子画面５１−５８を表示する例を示している。このように表示された各子画面５１−５８のうちの１つ（たとえば子画面５２）をユーザが操作入力部１０を操作して選択し、タイムシフト視聴の指令を入力することによって、これを契機に、選択された子画面（たとえば子画面５２）に対応するチャンネルの番組データの蓄積状態が一時的蓄積から永続的蓄積へと変更される。
【００３６】
特定番組データの蓄積状態を一時的蓄積から永続的蓄積へと変更する契機となるその他の事象しては、ＨＤＤ１１への一時的な蓄積が行われている複数のチャンネルの番組の中で一定時間以上連続して視聴（再生）された番組がＣＰＵ７によって検出された場合などがある。
【００３７】
この場合、ＨＤＤ１１への一時的な蓄積が行われている複数のチャンネルの番組の中で、ユーザは視聴したい番組を操作入力部１０を操作して選択し、ＣＰＵ７がそれを判断してＨＤＤ１１から該当する番組データを読み出し、デマルチプレクサ４を通じてビデオ復号部５に出力するように制御することによって、その選択された番組のみがディスプレイ１３に表示される。ＣＰＵ７は、この表示連続時間を測定し、測定時間が一定時間以上となったら、その番組データの蓄積状態を一時的蓄積から永続的蓄積へと変更する。
【００３８】
また、図６に示すように、ＨＤＤ１１への一時的な蓄積が行われている複数のチャンネルの番組データを子画面６１−６５にそれぞれ表示し、その中の１つの子画面（たとえば子画面６３）がユーザによって選択された場合に、その選択された番組の子画面（たとえば子画面６３）のサイズを拡大して子画面６６として表示させる。ＣＰＵ７は、このようにサイズを拡大した子画面６６の表示継続時間を測定して、その時間が一定時間以上になったことを判断したら、その番組データのＨＤＤ１１への蓄積状態を一時的蓄積から永続的蓄積へと変更する。
【００３９】
以上説明したように本実施形態によれば、ユーザからの明示的な記録命令の入力に拠らず、タイムシフト視聴指令が入力された場合や、一定時間以上連続して視聴（再生）された場合のように、ユーザがその番組に興味を示した事象を検出して、番組データのＨＤＤ１１への蓄積状態を一時的蓄積から永続的蓄積に自動的に変更することができる。また、この一時的蓄積から永続的蓄積への変更の際に、一定時間遡った時刻から現時点までの過去分の番組データも一時的蓄積から永続的蓄積に変更することができる。
【００４０】
（その他の実施形態）
図６に示したように、ディスプレイ１３の画面に表示した複数の子画面６１−６５のうちの１つ（たとえば子画面６３）がユーザによって選択された場合に、その選択された子画面（たとえば子画面６３）のサイズを拡大して子画面６６として表示させる。このときＣＰＵ７は、３つのチューナ２１，２２，２３のうちの１つのチューナがその選択子画面に表示させる番組データを継続して受信をするように各チューナ２１，２２，２３に対するチャンネルの割り当てを制御する。これにより、拡大した子画面６６には時間的に連続したライブ映像が表示されることになる。その他の２つのチューナはこれまで通り、一時的蓄積されるその他のチャンネルの番組データの受信に割り当てられる。そしてＣＰＵ７は、このようにサイズを拡大した子画面６６の表示継続時間を測定して、その時間が一定時間以上になったことを判断したら、その番組データのＨＤＤ１１への蓄積状態を一時的蓄積から永続的蓄積へと変更する。
【００４１】
なお、上記の実施形態では、３つのチューナ２１，２２，２３は、一定時間ごとに割り当てチャンネルをシフトさせながらその都度割り当てられた３つのチャンネルの番組データをそれぞれ並列に受信するようにＣＰＵ７によって制御されることとしたが、たとえば図７に示すように、優先度が高いチャンネルや番組データ（本例では番組１）ほど、チューナの受信割り当て時間（Ｔａ）が長くなるように制御してもよい。これにより、優先度の高いチャンネルの番組をタイムシフト視聴する際の過去分の無映像期間を低減することができる。受信割り当て時間（Ｔａ）は、たとえば各回ごとに共通である。
【００４２】
また、一時的蓄積から永続的蓄積へ変更する際に、ＨＤＤ１１に番組データを記録する際のビットレートを最適に調整できるようにしてもよい。すなわち、ＨＤＤ１１に十分な空き容量が存在する場合などにおいては、ビットレートを高く設定することでより高画質の番組データをＨＤＤ１１に永続的に蓄積したり、ＨＤＤ１１に十分な空き容量が存在しない場合などにおいては、その空き容量に全番組データが収まるようにビットレートを低くする。
【００４３】
さらに、ＣＰＵ７により、放送やネットワークを通じて取得した電子番組表などの番組に関する情報をもとに、一時的蓄積から永続的蓄積へと変更された番組と同様なカテゴリの番組を検索し、その番組に対してはチューナによる受信割り当て時間が長くなるように制御を行ってもよい。
【００４４】
タイムシフト視聴指令の入力を契機に一時的蓄積から永続的蓄積へと変更する場合において、タイムシフト視聴の終了時点で、それまでにＨＤＤ１１に永続的蓄積された番組データを破棄するかどうかをユーザに選択させるためのメニューを表示し、ユーザからの応答に応じて、その番組データをＨＤＤ１１から破棄するかどうかをＣＰＵ７により制御してもよい。これにより、ＨＤＤ１１への永続的蓄積が行われる番組データをユーザ自身の判断で絞り込むことができる。
【００４５】
また、チューナ部２にデジタルチューナとアナログチューナの両方を採用して、デジタルチューナとアナログチューナの両方で同一の放送番組を受信しているときに、デジタル放送の番組データをＨＤＤ１１に継続して記録する一方で、図６に示したサイズの大きい子画面６６に同一番組のアナログ放送の受信画像を表示する。これにより、ＨＤＤ１１に記録された番組データを読み出しデコードして表示するよりも、子画面６６に表示させるチャンネルの切り替えを高速に行うことができる。また、小さい子画面６１−６５での表示も同様にアナログ放送の受信画像で行うようにしてもよい。
【００４６】
また、以上の実施形態では、番組データをＨＤＤに記録するものとしたが、ランダムアクセス可能な記憶装置であれば、その記憶装置の種類は何でもよい。
【００４７】
さらに、以上の実施形態では、３つのチューナで受信された８チャンネルの番組データをＨＤＤに蓄積する例を示したが、複数のチューナで複数のチャンネルの番組データを並列的に蓄積する場合に本発明は適用できるし、１つのチューナで複数のチャンネルの番組データを時分割に受信する場合においても適用可能である。
【００４８】
以上、本発明に係る実施形態を説明したが、本発明は、上述の実施形態にのみ限定されるものではなく、本発明の要旨を逸脱しない範囲内において種々変更を加え得ることは勿論である。
【図面の簡単な説明】
【００４９】
【図１】本発明の一実施形態に係る番組記録再生装置の構成を示すブロック図である。
【図２】８チャンネルの番組データの一時的蓄積の状態を示す図である。
【図３】特定の番組データが一時的蓄積から永続的蓄積へ変更された時点での各番組データの蓄積の状態を示す図である。
【図４】ＨＤＤへの永続的蓄積のための番組データの記録を開始するための契機となる何らかの事象が発生してからさらに時間が経過した時点での各番組データの蓄積の状態を示す図である。
【図５】ディスプレイ画面に複数の番組の子画面を表示する例を示す図である。
【図６】ディスプレイ画面に複数の番組の子画面を表示する別の例を示す図である。
【図７】優先度に基づくチューナの受信割り当て時間の制御に関する図である。
【符号の説明】
【００５０】
１…アンテナ部、２…チューナ部、４…デマルチプレクサ、５…ビデオ復号部、６…オーディオ復号部、７…ＣＰＵ、８…ＲＯＭ、９…メインメモリ、１０…操作入力部、１１…ＨＤＤ、１２…システムバス、２１，２２，２３…チューナ、３１，３２，３３…復調部、１００…番組記録再生装置。
【図１】
0004718951.tif 000002
【図２】
0004718951.tif 000003
【図３】
0004718951.tif 000004
【図４】
0004718951.tif 000005
【図５】
0004718951.tif 000006
【図６】
0004718951.tif 000007
【図７】
0004718951.tif 000008